【事件の表示】
　平成１０年特許願第　２００４２号「カード型スキャナ装置」拒絶査定不服審判事件〔平成１１年　８月１０日出願公開、特開平１１−２２０５８７〕について、次のとおり審決する。
【結　論】
　本件審判の請求は、成り立たない。
【理　由】
１．手続の経緯・本願発明
　本願は、平成１０年１月３０日の出願であって、平成１４年５月２７日付けで手続き補正がなされ、平成１４年６月１３日付けで拒絶査定がされ、これに対して、同年７月２５日に拒絶査定に対する審判請求がなされ、同年８月２６日付けの手続補正書によって補正された明細書及び図面の記載からみて、本願発明は、特許請求の範囲の請求項１に記載された次のとおりのものと認める。（以下、「本願発明」という。）。
　
「【請求項１】被読取り媒体上の画像を光学的に読取りアナログ電気信号に変換する画像読取り部と、画像読取り部の被読取り媒体上の移動量を計測する移動量計測部と、画像読取り部から出力されたアナログ画像信号を処理する画像信号処理部と、前記移動量計測手段の移動量により画像読取り部の駆動制御を行なう読取り制御部と、外部の情報処理装置へ読取りデータの出力を行なうＰＣカードインターフェイス部と、前記画像信号処理部、読取り制御部及びＰＣカードインターフェイス部を内蔵するＰＣカード部を備えたカード型スキャナ装置において、前記ＰＣカード部はカード状を成して、情報処理装置内に設けられたＰＣカードスロットに挿入可能に構成し、画像読取り部と移動量計測部が情報処理装置への挿入側と反対側の端部に設けられ、情報処理装置に装着した場合に情報処理装置の外部に突出する構成になっており、前記情報処理装置の外部に突出する画像読取り部と移動量計測部とが、ＰＣカード部に対し別体の筺体に収納され、このＰＣカード部と筺体とを接続する接続部を有し、この接続部を前記筐体内部に収納可能とした構成であることを特徴とするカード型スキャナ装置。」
　
２．引用例
　原審の拒絶の理由に引用された、特開平７−２８３９１０号公報（以下、「引用例」という。）には、図面とともに次の事項ア〜オが記載されている。
ア．
　「【請求項７】手動により原稿画像を走査してイメージセンサにより画像情報を読みとる画像入力装置において、前記イメージセンサと原稿照明手段と含むセンサユニットとＰＣカードインターフェース部を一体にして構成した画像読みとりモジュールと、ＰＣカード挿入部を備えるアダプタから構成され、前記アダプタは、読み取り画像データを外部機器に出力するための外部インターフェース手段と、前記画像読みとりモジュールをアダプタのＰＣカード挿入部に挿入した時に画像読み取りモジュールを前記アダプタに固定する手段を備え、前記画像読み取りモジュールをアダプタに固定して画像の読みとりを行うことを特徴とする画像入力装置。」（第２頁１欄３０〜４１行）
イ．
　「【００１４】 図１は本発明の画像入力装置の外観図である。携帯機器１は、ペン入力可能な液晶表示部２とＰＣカードスロット７を備える。読み取りモジュール４は、ＰＣカードインターフェース部３とイメージセンサ部６を備える。イメージセンサ部６には完全密着型のイメージセンサを用いる。車輪５ａおよび５ｂは原稿と接触することにより回転し、走査位置を検出する。
【００１５】読み取りモジュール４のＰＣカード部３は、携帯機器１のＰＣカードスロット７に挿入される。これにより、読み取りモジュール４は携帯機器１に電気的に接続される。読み取りモジュール４には突起８ａおよび８ｂがある。読み取りモジュール４が携帯機器１装着されたとき、突起８ａおよび８ｂは、携帯機器１に設けられた穴９ａおよび９ｂにそれぞれ嵌合する。これにより、読み取りモジュール４は携帯機器１に機械的に固定される。」（第３頁３欄３１〜４６行）
　
ウ．
　「【００２２】実施例の電気回路構成の概略ブロック図を図５に示す。携帯機器１の回路ブロックについて以下に説明する。マイクロプロセッサ（ＭＰＵ）４１は、携帯機器１全体を制御する。ＲＯＭ４２は、オペーレーティングシステムや文字認識を行うための辞書データなどを記憶し、ＭＰＵ４１はＭＰＵバス５３を介してＲＯＭ４２内に記憶されたコード及びデータをアクセスする。ＲＡＭ４３はＭＰＵ４１のワークメモリとして使用される。ＲＡＭ４３には、読み取りモジュール４によって読みとられた画像データも格納される。ＰＣカードインターフェース４４は、ＰＣカードスロット７に挿入されたＰＣカードとＭＰＵバス５３を接続する。」（第３頁４欄４８行〜第４頁５欄９行）
　
エ．
　「【００２４】次に、読み取りモジュール４の回路ブロックについて説明する。ＰＣカードインターフェース６１を介して、ＭＰＵバス５３と、読み取りモジュール４の内部バス６２は電気的に接続される。ロータリーエンコーダ６４，６５はそれぞれ車輪５ａ，５ｂとギアで連結されており、車輪の回転に応じてパルスを発生する。エンコーダカウンタ６３および６６は、ロータリーエンコーダ６４および６５からのパルスをそれぞれカウントする。ＭＰＵ４１は、ＰＣカードインターフェース４４および６１を介してエンコーダカウンタ６３および６６のカウント値を読み込むことができる。イメージセンサ６７は、センサドライブ回路６７からの駆動信号により駆動され、読み取った画情報をアナログ画像信号として出力する。
【００２５】画像処理回路６９は、イメージセンサからのアナログ画像信号のディジタル信号への変換および、イメージセンサ６８のシェーディング歪みの補正を行う。ラインバッファ７０は、１ライン分のディジタル画像信号を記憶する。ＭＰＵ４１は、ＰＣカードインターフェース４４および６１を介して、ラインバッファ７０に記憶された画像データをアクセスすることができる。また、ラインバッファ７０は、１ライン分の画像データの格納を終了した時点で割り込み信号を出力する。前記割り込み信号は、ＰＣカードインターフェース６１および４４を介してＭＰＵ４１に入力される。ＭＰＵ６１は、前記割り込み信号を受け付けるとラインバッファ内の画像データをＲＡＭ４３に転送する。このときＭＰＵ４１は、ＲＡＭ４３の転送アドレスを、エンコーダカウンタ６３および６６のカウント値に基づき算出する。」（第４頁５欄２７行〜６欄５行）
　
オ．
　「【００３１】　図６は、図１に示した読み取りモジュール４を、パーソナルコンピュータ（ＰＣ）に接続して用いる場合の外観図である。図６において、図１と同一部分は同一番号が付与されている。読み取りモジュール用アダプタはボディー８０，ケーブル８１およびＰＣカード部８２により構成される。読み取りモジュール４はボディ８０に装着される。ボディ８０は原稿を手動走査するとき持ちやすい形状と大きさにデザインされる。ＰＣ８３はＰＣカードスロットを備え、ＰＣカード部８２が挿入される。前記アダプタは、ＰＣ８３のＰＣカードスロットのそれぞれの信号線と、読み取りモジュールのＰＣカード部３の信号線とを電気的に接続する機能を持つ。ケーブル８１の長さが長い場合は、ＰＣカード部８２およびボディ８０内に、前記信号線内の信号をバッファリングするバッファ回路を設ける。
【００３２】ＰＣ８３がＰＣカードスロットを備えていない場合は、ＰＣカード部８２の代わりにＰＣ８３の拡張スロットに装着可能な回路ボードを用いる。前記回路ボードは、ＰＣカード仕様の信号をＰＣ８３の拡張スロットのバス仕様に変換する回路を備える。アダプタを用いて読み取りモジュール４をＰＣに接続した時、ＰＣ８３は読み取りモジュール及びアダプタに電力を供給する。
【００３３】読み取りモジュールのＲＯＭ７１に記憶されたＢＩＯＳ、デバイスドライバまたはアプリケーションソフトウエアは、ＰＣ８３の主記憶にロードされる。携帯機器１内のＭＰＵとＰＣ内のＭＰＵの形式が異なる場合は、ＲＯＭ７１にはそれぞれのＭＰＵが実行可能な複数のＢＩＯＳ、デバイスドライバまたはアプリケーションソフトウエアが記憶される。ＰＣ８３または携帯機器１は、それぞれのＭＰＵで実行可能なＢＩＯＳ、デバイスドライバまたはアプリケーションソフトウエアを選択して主記憶にロードする。もしくは、ＲＯＭ７１を接続するパーソナルコンピュータ用のものに交換してもよい。
【００３４】上記アダプタを用いることにより、携帯機器に直接装着される小型の読み取りモジュールを、手で持って原稿を走査するのに十分な大きさに拡張するとともに、パーソナルコンピュータなどの外部機器に接続して原稿画像の読み取りが可能となる。なお、前記アダプタを接続する外部機器は、ファクシミリ装置、ワードプロセッサまたはプリンタでもよい。」（第５頁７欄第２０行〜８欄１１行）
　
　引用例には、上記エから
（ａ）センサドライブ回路６７からの駆動信号により駆動され、読み取った画情報をアナログ画像信号として出力するイメージセンサ６７、
（ｂ）車輪５ａ，５ｂ、それぞれ前記車輪とギアで連結されて車輪の回転に応じてパルスを発生するロータリーエンコーダ６４，６５、及びロータリーエンコーダ６４，６５からのパルスをそれぞれカウントするエンコーダカウンタ６３，６６、
（ｃ）イメージセンサからのアナログ画像信号のディジタル信号への変換および、イメージセンサ６８のシェーディング歪みの補正を行う画像処理回路６９、
（ｄ）ＰＣカードインターフェース４４および６１を介して、ラインバッファ７０に記憶された画像データをアクセスすることができ、また、前記ラインバッファ７０は、１ライン分の画像データの格納を終了した時点で割り込み信号を出力し、前記割り込み信号は、ＰＣカードインターフェース６１および４４を介して入力され、前記割り込み信号を受け付けるとＲＡＭ４３の転送アドレスをエンコーダカウンタ６３および６６のカウント値に基づき算出し、前記ラインバッファ内の画像データを前記ＲＡＭ４３に転送するＭＰＵ４１とイメージセンサ６７の駆動信号を生成するセンサドライブ回路６７とが記載されており、
　上記イから
（ｅ）ＰＣカードインターフェース部３とイメージセンサ部６とを備える読み取りモジュール４が記載され、
　上記オ、図６から
（ｆ）読み取りモジュール４に装着されるボディー８０，ケーブル８１およびＰＣ８３のＰＣカードスロットに挿入されるＰＣカード部８２により構成され、ＰＣ８３のＰＣカードスロットのそれぞれの信号線と、読み取りモジュールのＰＣカード部３の信号線とを電気的に接続する機能を持つ読み取りモジュール用アダプタが記載され、
　上記アから
（ｇ）画像読みとりモジュールと、読み取り画像データを外部機器に出力するための外部インターフェース手段及びＰＣカード挿入部を備えるアダプタとから構成される画像入力装置が記載され 、
　上記オ、図６から
（ｈ）イメージセンサ部６と車輪５ａ、５ｂがＰＣ８３へのＰＣカード部８２の挿入側と反対側の端部に設けられ、ＰＣ８３に装着した場合にＰＣ８３の外部に突出する構成が記載され、
（ｉ）ＰＣカード部８２と読み取りモジュール４及びボディー８０からなる函体とを接続するケーブル８１を有する構成が記載されているといえる。
　してみると、引用例１には、「読み取った画情報をアナログ画像信号として出力するイメージセンサ６７と、車輪５ａ，５ｂ、それぞれ前記車輪とギアで連結されて車輪の回転に応じてパルスを発生するロータリーエンコーダ６４，６５、及びロータリーエンコーダ６４，６５からのパルスをそれぞれカウントするエンコーダカウンタ６３，６６と、イメージセンサからのアナログ画像信号のディジタル信号への変換および、イメージセンサ６８のシェーディング歪みの補正を行う画像処理回路６９と、イメージセンサ６７の駆動信号を生成するセンサドライブ回路６７と、携帯機器１へ画像データの転送を行うＰＣカードインターフェース６１とを有する読み取りモジュール４と、読み取りモジュール４に装着されるボディー８０，ケーブル８１およびＰＣ８３のＰＣカードスロットに挿入されるＰＣカード部８２により構成され、ＰＣ８３のＰＣカードスロットのそれぞれの信号線と、読み取りモジュールのＰＣカード部３の信号線とを電気的に接続し、読み取り画像データを外部機器に出力するための外部インターフェース手段を持つ読み取りモジュール用アダプタとを備えた画像入力装置において、
　ＰＣ８３に設けられたＭＰＵ４１によりＰＣカードインターフェース４４および６１を介して、ラインバッファ７０に記憶された画像データをアクセスすることができ、また、前記ラインバッファ７０は、１ライン分の画像データの格納を終了した時点で割り込み信号を出力し、前記割り込み信号は、ＰＣカードインターフェース６１および４４を介して入力され、前記割り込み信号を受け付けるとＲＡＭ４３の転送アドレスをエンコーダカウンタ６３および６６のカウント値に基づき算出し、前記ラインバッファ内の画像データを前記ＲＡＭ４３に転送するものであり、
　読み取りモジュール４及びボディー８０からなる函体がＰＣ８３へのＰＣカード部８２の挿入側と反対側の端部に設けられ、ＰＣ８３に装着した場合にＰＣ８３の外部に突出する構成になっており、ＰＣカード部８２と、該ＰＣカード部８２に対し別体の読み取りモジュール４及びボディー８０からなる函体とを接続するケーブル８１を有する構成である画像入力装置」の発明（以下、「引用発明」という。）が記載されていると認められる。
　
３．対比
　本願発明と引用発明とを比較すると、「イメージセンサ」、「画像処理回路」、「ＰＣカード８２」、「ケーブル８２」は、本願発明の「画像読取り部」、「画像信号処理部」、「ＰＣカード部」、「接続部」にそれぞれ相当する。
　引用発明の「車輪５ａ，５ｂ、それぞれ前記車輪とギアで連結されて車輪の回転に応じてパルスを発生するロータリーエンコーダ６４，６５、及びロータリーエンコーダ６４，６５からのパルスをそれぞれカウントするエンコーダカウンタ６３，６６」は、車輪が原稿と接触することにより回転し、イメージセンサ部の走査位置を検出することから本願発明の「移動量計測部」に相当する。
　引用発明の読み取りモジュール用アダプタの「読み取り画像データを外部機器に出力するための外部インターフェース手段」は、本願発明の「ＰＣカードインターフェイス部」に相当する。
　引用発明の「読み取りモジュール４及びボディー８０からなる函体」は、本願発明の「筐体」に相当し、また、引用発明の読み取りモジュール４は、イメージセンサ、上述の移動量計測部を有するものであるから、「読み取りモジュール４及びボディー８０からなる函体がＰＣ８３へのＰＣカード部８２の挿入側と反対側の端部に設けられ、ＰＣ８３に装着した場合にＰＣ８３の外部に突出する構成」は、本願発明の「画像読取り部と移動量計測部が情報処理装置への挿入側と反対側の端部に設けられ、情報処理装置に装着した場合に情報処理装置の外部に突出する構成になっており、前記情報処理装置の外部に突出する画像読取り部と移動量計測部とが、ＰＣカード部に対し別体の筺体に収納され」る構成に相当する。
　したがって、両者は、「被読取り媒体上の画像を光学的に読取りアナログ電気信号に変換する画像読取り部と、画像読取り部の被読取り媒体上の移動量を計測する移動量計測部と、画像読取り部から出力されたアナログ画像信号を処理する画像信号処理部と、外部の情報処理装置へ読取りデータの出力を行なうＰＣカードインターフェイス部と、を備えたカード型スキャナ装置において、前記ＰＣカード部はカード状を成して、情報処理装置内に設けられたＰＣカードスロットに挿入可能に構成し、画像読取り部と移動量計測部が情報処理装置への挿入側と反対側の端部に設けられ、情報処理装置に装着した場合に情報処理装置の外部に突出する構成になっており、前記情報処理装置の外部に突出する画像読取り部と移動量計測部とが、ＰＣカード部に対し別体の筺体に収納され、このＰＣカード部と筺体とを接続する接続部を有した構成であることを特徴とするカード型スキャナ装置。」
で一致し、以下の点において相違する。
　
（相違点）
（相違点１）
　本願発明の読取り制御部は、移動量計測手段の移動量により画像読取り部の駆動制御を行なうのに対し、引用発明のＭＰＵ４１は、転送アドレスをエンコーダカウンタ６３および６６のカウント値すなわち移動量に基づき算出し、ラインバッファ内の画像データを前記ＲＡＭ４３に転送する転送の制御による読み取り制御を行い、イメージセンサ６７の駆動信号はセンサドライブ回路６７で生成し、読み取り制御として移動量による駆動制御を行っていない点。
（相違点２）
　本願発明は、ＰＣカード部に画像信号処理部、読取り制御部及びＰＣカードインターフェイス部を内蔵しているのに対し、引用発明のＭＰＵ４１は外部機器に設けられ、画像信号処理部は読み取りモジュール４に設けられ、読み取りモジュール用アダプタのＰＣカード部に内蔵しておらず、また、モジュール用アダプタの外部インターフェース手段は読み取りモジュール用アダプタのＰＣカード部に内蔵しているのか不明である点。
 （相違点３）
　本願発明は、接続部を筐体内部に収納可能とした構成であるのに対し、引用発明はケーブル８１を函体内部に収納可能としているのか不明である点。
　
４．当審の判断
　上記相違点１について
　移動量計測手段の移動量により画像読取り部の駆動制御を行うことは周知であり（特開平５−２７６３１４号公報（【００１８】））、引用発明のＭＰＵの移動量に対する読み取り制御として、ラインバッファ内の画像データを前記ＲＡＭ４３に転送する転送の制御を用いる代わりに画像読取り部の駆動制御を行なうことは当業者が容易になし得るものと認められる。
　上記相違点２について
　通常ＰＣカードはコンピュータの機能を拡張する半導体基板を内蔵するものであり（特開平７−１５４５４３号公報（図２、図１７参照））、引用例１の読み取りモジュール用アダプタのＰＣカード部において、ＰＣ８３にイメージ読み取りの機能を設けるか、拡張機能として別体のＰＣカード部に設けるかは当業者にとって必要に応じて適宜選択しうる設計的事項と認められる。
　また、イメージセンサを有するユニットのカード部にインターフェース部を内蔵することは周知であり（特開平７−１５４５４３号公報（図２、図１７参照））、引用例１のＰＣカード部に外部インターフェース手段を設けることは当業者が容易に想到し得るものと認められる。
　さらに、通常ＰＣカードはコンピュータの機能を拡張する半導体基板を内蔵するものであることから、読み取りモジュール４が有する画像信号処理の機能を拡張する画像信号処理部をＰＣカード部に設けることは当業者が必要に応じて適宜実施し得る設計的事項と認められる。
　上記相違点３について
　一般に函体と別体の函体とを接続する接続部を前記函体に収納可能とすることは周知であり（実開平３−９７２７２号公報、特開昭６１−６６４６１号公報）、引用発明のケーブル８１は接続部であり、読み取りモジュール４及びボディー８０は函体であるから、引用発明に、該周知な技術事項を採用して、ケーブル８１をボディー８０に収納可能とすることは当業者が容易に想到し得るものと認められる。
　
５．むすび
　以上のとおり、本願発明は、引用発明及び周知技術に基づいて当業者が容易に発明をすることができたものであり、特許法第２９条第２項の規定により、特許を受けることができないから、本願は、他の請求項に係る発明について論ずるまでもなく、拒絶されるべきものである。
　よって、結論のとおり審決する。